(57)【要約】【課題】            印刷された副記録が正常であるかを確認でき、取り消された副記録を除く通常の副記録のみを保管可能で、投票の秘匿性を損なうことのない副記録装置および副記録装置を有する電子投票装置を提供する。【解決手段】        電子投票装置により受け付けた投票情報を印刷媒体に印刷記録する電子投票の副記録装置であって、電子投票装置から発信する投票情報を印刷媒体１１に光学的に読み取り可能な印刷形態で記録情報として印刷記録する印刷記録部２１と、印刷媒体１１の記録情報を読み取る読取り部２２と、読取り部２２によって読み取った記録情報と投票情報を照合確認する照合部２４と、照合部２４による照合確認の照合結果を電子投票装置に伝達するインターフェース２９と、電子投票装置から発信する投票の確定信号を受けて、印刷記録後の印刷媒体１１を副記録保管容器１４に投入する取込ローラ１８と、電子投票装置から発信する投票の取消信号を受けて、印刷記録後の印刷媒体１１を副記録廃棄容器１５に投入する裁断部１９とを有する。【選択図】          図９
2006053618.tif 000002
【特許請求の範囲】
【請求項１】
電子投票装置により受け付けた投票情報を印刷媒体に印刷記録する電子投票の副記録装置であって、電子投票装置から発信する投票情報を印刷媒体に光学的に読み取り可能な印刷形態で記録情報として印刷記録する印刷手段と、印刷媒体の記録情報を読み取る読取手段と、読取手段によって読み取った記録情報と投票情報を照合確認する照合手段と、照合手段による照合確認の照合結果を電子投票装置に伝達する伝達手段と、電子投票装置から発信する投票の確定信号を受けて、印刷記録後の印刷媒体を副記録保管容器に投入する投票投入手段と、電子投票装置から発信する投票の取消信号を受けて、印刷記録後の印刷媒体を副記録廃棄容器に投入する廃棄投入手段とを有することを特徴とする電子投票の副記録装置。
【請求項２】
電子投票装置により受け付けた投票情報を印刷媒体に印刷記録する電子投票の副記録装置であって、電子投票装置から発信する確定した投票情報を印刷媒体に光学的に読み取り可能な印刷形態で記録情報として印刷記録する印刷手段と、印刷媒体の記録情報を読み取る読取手段と、読取手段によって読み取った記録情報と投票情報を照合確認する照合手段と、照合手段による照合確認の照合結果を電子投票装置に伝達する伝達手段とを有することを特徴とする電子投票の副記録装置。
【請求項３】
印刷記録後の印刷媒体を副記録保管容器に投入する投票投入手段と、印刷記録後の印刷媒体を副記録廃棄容器に投入する廃棄投入手段と、印刷手段と読取手段と照合手段と投票投入手段と廃棄投入手段とを制御する制御手段を有し、制御手段は、照合手段による照合確認の照合結果において記録情報と投票情報が一致しないときに、印刷記録後の印刷媒体を廃棄投入手段により副記録廃棄容器に投入し、再度印刷手段によって投票情報の印刷記録を行い、この印刷記録した印刷媒体を読取手段により読み取って照合手段で照合する動作を繰り返し、この動作を所定回数繰り返しても記録情報と投票情報が一致しないときは、電子投票装置に異常の信号を伝達して副記録装置の異常を通報することを特徴とする請求項１又は２に記載の電子投票の副記録装置。
【請求項４】
印刷媒体がテープ状の連続用紙からなり、電子投票装置から発信する投票の確定信号もしくは取消信号を受けて、連続用紙を１投票分の記録情報毎の紙片に切断する用紙切断手段を有することを特徴とする請求項１又は２に記載の電子投票の副記録装置。
【請求項５】
印刷媒体が単葉紙からなり、印刷媒体積載部に積載した単葉紙を１葉づつ印刷手段に給紙する給紙手段を有することを特徴とする請求項１又は２に記載の電子投票の副記録装置。
【請求項６】
副記録保管容器が印刷媒体を攪拌する攪拌手段を有することを特徴とする請求項１又は２に記載の電子投票の副記録装置。
【請求項７】
攪拌手段が所定回数の攪拌動作を行うことを特徴とする請求項６に記載の電子投票の副記録装置。
【請求項８】
副記録廃棄容器が印刷後の印刷媒体を投入する際に当該印刷媒体を裁断する裁断手段を有することを特徴とする請求項１又は２に記載の電子投票の副記録装置。
【請求項９】
電子的に投票を受付けるものであって、受付けた投票情報を表示する表示手段と、投票情報を電子記録媒体に記録する電子記録手段と、受付けた投票情報を印刷媒体に印刷記録する副記録手段を有し、副記録手段が請求項１〜８の何れか１項に記載の副記録装置であることを特徴とする電子投票装置。
【発明の詳細な説明】
【技術分野】
【０００１】
本発明は、電子投票の副記録装置及び電子投票装置に関し、電子投票の投票データを副記録として印刷して保管する技術に係るものである。
【背景技術】
【０００２】
近年、地方選挙において電子投票が実施され、その利点、欠点が各方面で議論されている。この中で多く指摘される疑問点として、故障や障害によりデータが消去された場合の危険性がある。この指摘に対して現状の電子投票システムでは複数の記録媒体を用いてバックアップデータを確保することにより解決している。
【０００３】
しかしながら、データが消去される事態が生じる原因がシステムの不具合やプログラムミスにある場合には、記録媒体のみを複数用意しても、各記録媒体に同じ事象が生じるので、問題の解決にはならない。
【０００４】
これらの問題の解決には、投票記録の全てを時系列で記録し、投票記録を全く消去せずに書き足すことのみを行うことで、データの信頼性を上げる方法がある。しかし、この場合には、何番目に投票した投票者（選挙人）がどの候補者（被選挙人）に投票したかが判明してしまい、秘密投票の原則が崩れる恐れがある。
【０００５】
このため、特許文献１では、電子的に投票を受け付けてその投票結果を順次正記録する投票受付記録手段と、投票結果をそれぞれ単葉のカード状印刷媒体に印刷する副記録を行なう印刷手段と、印刷手段で投票結果を印刷した印刷済のカード状印刷媒体を全て格納し、かつ印刷手段内部に着脱可能なように装着する格納手段とを備え、印刷済のカード状印刷媒体を格納手段内に格納して、開票までの間、投票結果を秘匿保存する電子投票装置が開示されている。
【０００６】
また、特許文献２には、電子的に投票を受け付ける受付手段と、受付手段が受け付けた投票の結果を印字媒体に印字記録するよう構成された記録手段とを備えた電子投票端末装置において、印字媒体に印字記録された投票の結果を読み取って、受付手段が受け付けた投票の結果と照合する照合手段を備えた構成が開示されている。
【特許文献１】特開２００２−２７９４６９公報
【特許文献２】特開２００３−６７８０１公報
【発明の開示】
【発明が解決しようとする課題】
【０００７】
しかし、特許文献１に記載する技術では、印刷が正常に行われたか否かを確認する手段を持たず、取消修正による印刷記録も通常の印刷記録と一緒に同じ保管容器で保管され、集計に不要な印刷記録も集計対象とされている。
【０００８】
特許文献２に記載する技術では、印刷された投票結果を読み取って受け付けた投票結果と照合するが、印刷が異常であった場合のみ表示するので、印刷記録が正常に行われている場合の表示がなされない。また、投票記録をロール紙へ記録し、ロール紙を巻き取って保管するため、投票記録が投票順に全て記録に残り、投票の秘匿性が損なわれる。また、双方とも印刷の文字を選挙人が確認するため、電子投票としての本来の効率を阻害している。
【０００９】
本発明は上記した課題を解決するものであり、印刷された副記録が正常であるかを確認でき、取り消された副記録を除く通常の副記録のみを保管可能で、投票の秘匿性を損なうことのない副記録装置および副記録装置を有する電子投票装置を提供することを目的とする。
【課題を解決するための手段】
【００１０】
上記課題を解決するために、請求項１に係る本発明の電子投票の副記録装置は、電子投票装置により受け付けた投票情報を印刷媒体に印刷記録する電子投票の副記録装置であって、電子投票装置から発信する投票情報を印刷媒体に光学的に読み取り可能な印刷形態で記録情報として印刷記録する印刷手段と、印刷媒体の記録情報を読み取る読取手段と、読取手段によって読み取った記録情報と投票情報を照合確認する照合手段と、照合手段による照合確認の照合結果を電子投票装置に伝達する伝達手段と、電子投票装置から発信する投票の確定信号を受けて、印刷記録後の印刷媒体を副記録保管容器に投入する投票投入手段と、電子投票装置から発信する投票の取消信号を受けて、印刷記録後の印刷媒体を副記録廃棄容器に投入する廃棄投入手段とを有するものである。
【００１１】
請求項２に係る本発明の電子投票の副記録装置は、電子投票装置により受け付けた投票情報を印刷媒体に印刷記録する電子投票の副記録装置であって、電子投票装置から発信する確定した投票情報を印刷媒体に光学的に読み取り可能な印刷形態で記録情報として印刷記録する印刷手段と、印刷媒体の記録情報を読み取る読取手段と、読取手段によって読み取った記録情報と投票情報を照合確認する照合手段と、照合手段による照合確認の照合結果を電子投票装置に伝達する伝達手段とを有するものである。
【００１２】
請求項３に係る本発明の電子投票の副記録装置は、印刷記録後の印刷媒体を副記録保管容器に投入する投票投入手段と、印刷記録後の印刷媒体を副記録廃棄容器に投入する廃棄投入手段と、印刷手段と読取手段と照合手段と投票投入手段と廃棄投入手段とを制御する制御手段を有し、制御手段は、照合手段による照合確認の照合結果において記録情報と投票情報が一致しないときに、印刷記録後の印刷媒体を廃棄投入手段により副記録廃棄容器に投入し、再度印刷手段によって投票情報の印刷記録を行い、この印刷記録した印刷媒体を読取手段により読み取って照合手段で照合する動作を繰り返し、この動作を所定回数繰り返しても記録情報と投票情報が一致しないときは、電子投票装置に異常の信号を伝達して副記録装置の異常を通報するものである。
【００１３】
請求項４に係る本発明の電子投票の副記録装置は、印刷媒体がテープ状の連続用紙からなり、電子投票装置から発信する投票の確定信号もしくは取消信号を受けて、連続用紙を１投票分の記録情報毎の紙片に切断する用紙切断手段を有するものである。
【００１４】
請求項５に係る本発明の電子投票の副記録装置は、印刷媒体が単葉紙からなり、印刷媒体積載部に積載した単葉紙を１葉づつ印刷手段に給紙する給紙手段を有するものである。
請求項６に係る本発明の電子投票の副記録装置は、副記録保管容器が印刷媒体を攪拌する攪拌手段を有するものである。
【００１５】
請求項７に係る本発明の電子投票の副記録装置は、攪拌手段が所定回数の攪拌動作を行うものである。
請求項８に係る本発明の電子投票の副記録装置は、副記録廃棄容器が印刷後の印刷媒体を投入する際に当該印刷媒体を裁断する裁断手段を有するものである。
【００１６】
請求項９に係る本発明の電子投票装置は、電子的に投票を受付けるものであって、受付けた投票情報を表示する表示手段と、投票情報を電子記録媒体に記録する電子記録手段と、受付けた投票情報を印刷媒体に印刷記録する副記録手段を有し、副記録手段が請求項１〜８の何れか１項に記載の副記録装置であるものである。
【発明の効果】
【００１７】
以上のように本発明によれば、印刷媒体に印刷された記録情報（副記録）を確認し、その正常、異常を表示するので副記録の記録状況を監視でき、印字手段に不具合があってもそのまま投票されることがない。攪拌手段によって副記録保管容器内の印刷媒体を攪拌することで、副記録保管容器内に保管された印刷媒体からは投票順番が推定出来なくなり、投票の秘匿性が確保される。印刷媒体に印刷記録した記録情報自体を選挙人が確認しないので、通常の電子投票の効率性を損なわない。副記録保管容器内の印刷媒体を読み取り開票する場合、投票時に読取手段で予め読取確認を行ったものを読み取って集計するので、読取不明票となる恐れがなく、開票時に公平性を確保し、かつ効率よく開票が行える。
【発明を実施するための最良の形態】
【００１８】
以下、本発明の実施の形態を図面に基づいて説明する。図１１に示すように、本発明の電子投票の副記録装置１は、電子投票装置をなす電子投票端末機２、および副記録装置異常報知部３とは別体の構造をなし、ケーブルによる直接接続、構内ネットワークによるネットワーク接続等の通信手段３を介して電子投票端末機２および副記録装置異常報知部３に接続している。
【００１９】
電子投票端末機２は液晶画面等からなる投票操作画面表示部４と本体装置５と選挙人であることを示す投票カードを確認する検認装置６とを有しており、候補者を選択する選択手段として本体装置５にボタンやキーを設けるか、もしくは投票操作タッチパネルを設けている。
【００２０】
図９に示す副記録装置１は、印刷媒体１１がテープ状の連続用紙からなる場合の構成である。副記録装置１は電子投票端末機２により受け付けた投票情報を印刷媒体１１に印刷記録するものであり、連続用紙の用紙ロール１２を保持する用紙送出し部１３から副記録保管容器１４および副記録廃棄容器１５までの間に複数の搬送ローラ１６を備えた用紙搬送部１７を設けている。
【００２１】
副記録保管容器１４は、蓋を施錠する機構を有しており、底部に網等の通気性を有する床部材１４ａを有し、床部材１４ａの下方に印刷媒体１１を攪拌する攪拌手段をなす送風機等の攪拌装置１４ｂを設けている。また、副記録保管容器１４は取込ローラ１８を有する投入口が用紙搬送部１７の搬送方向に対向しており、副記録廃棄容器１５は投入口に裁断部１９を有している。副記録保管容器１４の取込ローラ１８と用紙搬送部１７の最終の搬送ローラ１６ｅとの間には廃棄落し部２０を配置しており、廃棄落し部２０は廃棄落し部材２０ａの反転操作によって印刷媒体１１の搬送方向を副記録保管容器１４の投入口と副記録廃棄容器１５の投入口とに変更する。搬送軌道上には、印刷記録部２１、読取り部２２、用紙切断部２３を配置している。
【００２２】
印刷記録部２１は、電子投票端末機２から発信する投票情報（候補者名）を印刷媒体１１に記録情報として印刷記録する印刷手段をなし、記録情報は光学的に読み取り可能な印刷形態であり、バーコード、活字、マーク等である。
【００２３】
読取り部２２は、印刷媒体１１の記録情報を光学的に読み取る読取手段をなし、用紙切断部２３は連続用紙を１投票分の記録情報毎の紙片に切断する用紙切断手段をなす。
図６に示すように、副記録装置１は制御手段をなすＣＰＵ２５によって用紙送出し部１３、攪拌装置１４ｂ、用紙搬送部１７、裁断部１９、廃棄落し部２０、印刷記録部２１、読取り部２２、用紙切断部２３、照合部２４を制御する。
【００２４】
照合部２４は読取り部２２によって読み取った記録情報と電子投票端末機２から発信する投票情報を照合確認する照合手段をなすものであり、プログラムによってＣＰＵ２５に機能回路として構成しても良く、別途のハードウェア（回路）として設けても良い。
【００２５】
また、ＣＰＵ２５には操作入力部２６、ＲＯＭ２７、ＲＡＭ２８を接続している。操作入力部２６は操作パネル(図示省略)に配置する各種キー等からなり、ＲＯＭ２７は副記録装置１の制御に係る各種操作プログラムを格納しており、ＲＡＭ２８は副記録装置１の各種設定状態を記憶し、かつ作業エリア領域を提供するものである。
【００２６】
さらに、ＣＰＵ２５は伝達手段をなすインターフェイス（入出力回路）２９を介して電子投票端末機２との間において投票情報３０および照合結果３１を入出力する。
以下、上記した構成における作用を説明する。はじめに投票場において副記録装置１を使用する手順を図１において説明する。立会人（第１番目の選挙人）の下で副記録保管容器１４が空であることを確認する（Ｓ１−１）。
【００２７】
次に副記録保管容器１４の蓋に施錠して副記録保管容器１４を副記録装置１に装着する（Ｓ１−２）。電子投票端末機２において投票受付を開始し（Ｓ１−３）、投票に伴って逐次に投票受付処理を電子投票端末機２で行うとともに、副記録装置１において後述する作用で副記録を保管し、所定の攪拌動作を行う（Ｓ１−４）。この処理を受付終了時間まで行い（Ｓ１−５）、投票受付を終了する（Ｓ１−６）。
【００２８】
次に、副記録保管容器１４を副記録装置１から取り外し（Ｓ１−７）、副記録の集計が必要な事態であるか否かを判断し（Ｓ１−８）、集計が必要であれば副記録保管容器１４に保管した副記録を集計処理し（Ｓ１−９）、副記録の集計が必要でなければ副記録を収納した状態で副記録保管容器１４を所定場所に保管する（Ｓ１−１０）。
【００２９】
次に、投票時における動作を図２を参照して説明する。電子投票端末機２は投票操作画面表示部４に投票開始状態を表示し（Ｓ２−１）、選挙人が検認装置６に挿入する投票カードを確認し（Ｓ２−２）、投票操作画面表示部４に選挙候補者の一覧を表示する（Ｓ２−３）。
【００３０】
選挙人は電子投票端末機２の投票操作画面表示部４に表示された複数の候補者名の中から投票する候補者名を選択する。この選択は本体装置５に設けたボタンやキーやタッチパネル等の選択手段を操作して行う。
【００３１】
電子投票端末機２は候補者が選択されたことを確認し（Ｓ２−４）、選択された候補者情報を投票情報３０としてインターフェイス２９を介して副記録装置１のＣＰＵ２５に送信する（Ｓ２−５）。
【００３２】
ＣＰＵ２５は投票情報（候補者情報）を受信すると（Ｓ２−６）、用紙送出し部１３および用紙搬送部１７を駆動制御して用紙ロール１２から繰り出す印刷媒体１１を印刷記録部２１に供給する（Ｓ２−７）。印刷記録部２１はＣＰＵ２５が電子投票端末機２から受け付けた投票情報を、光学的に読み取り可能な印刷形態（活字、バーコード等）で記録情報として印刷媒体１１に印刷記録する（Ｓ２−８）。
【００３３】
次に、用紙送出し部１３および用紙搬送部１７を駆動制御し、印刷記録した印刷媒体１１を読取り部２２に搬送して印刷記録した記録情報を読取り部２２で読み取り（Ｓ２−９）、読取り部２２で読み取った記録情報と投票情報を照合部２４で確認する（Ｓ２−１０）。
【００３４】
ＣＰＵ２５は、照合部２４による照合確認の照合結果を判断し（Ｓ２−１１）、記録情報と投票情報が一致しないときには、印刷記録した印刷媒体１１を副記録廃棄容器１５に投入する制御を以下の手順で行う。
【００３５】
印刷回数をカウントし（Ｓ２−１２）、印刷記録した印刷媒体１１を用紙切断部２３に搬送し、用紙切断部２３を駆動制御して１投票分の印刷媒体１１を連続用紙から切り離す（Ｓ２−１３）。廃棄落し部２０を駆動して廃棄落し部材２０ａを廃棄位置に配置し（Ｓ２−１４）、用紙搬送部１７によって搬送する印刷媒体１１を副記録廃棄容器１５に案内し、裁断部１９で印刷媒体１１を裁断しながら副記録廃棄容器１５に投入し（Ｓ２−１５）、印刷媒体１１を印刷記録部２１に供給するステップ（Ｓ２−７）に戻る。
【００３６】
そして、所定回数の印刷を行っても記録情報と投票情報が一致しないときに、ＣＰＵ２５はインターフェイス２９を介して電子投票端末機２に異常表示の信号を送信し（Ｓ２−１６）、副記録装置１を停止するとともに、副記録装置異常報知部３に異常の信号を送信して副記録装置１の異常を通報する（Ｓ２−１７）。
【００３７】
このように、印刷媒体１１に印刷された記録情報（副記録）を確認し、その正常、異常を表示するので副記録の記録状況を監視でき、印字手段に不具合があってもそのまま投票されることがない。
【００３８】
ＣＰＵ２５は、照合部２４による照合確認の照合結果において記録情報と投票情報が一致する場合には、照合部２４による照合確認の照合結果をインターフェイス２９を介して電子投票端末機２に送信する（Ｓ２−１８）。
【００３９】
電子投票端末機２は副記録装置１から照合結果を受信し（Ｓ２−１９）、照合結果が正常か否かを判断し（Ｓ２−２０）、異常である場合には投票操作画面表示部４に異常表示して係員を呼び出す（Ｓ２−２１）。正常である場合には投票操作画面表示部４に照合結果が正常である旨の表示を行うとともに、選択した候補者名（投票情報）のみを表示して確認入力を指示する（Ｓ２−２２）。
【００４０】
選挙人は照合結果の表示を受けて、選択した候補者名（投票情報）を最終確認する。このとき、印刷媒体１１に印刷記録した記録情報自体を選挙人が確認しないので、通常の電子投票の効率性が損なわれない。
【００４１】
ＣＰＵ２５は投票情報が確定されたか否かを判断し（Ｓ２−２３）、この段階で選挙人が投票情報の変更等を目的として先に選択した投票情報を取り消すと（Ｓ２−２４）、電子投票端末機２は投票の取消信号（取消情報）を副記録装置１に送信し（Ｓ２−２５）、選挙候補者の一覧を表示し（Ｓ２−３）、上述した動作を繰り返す。
【００４２】
選挙人が投票情報を確定すると、電子投票端末機２は投票の確定信号（投票確定情報）を副記録装置１に送信し（Ｓ２−２６）、投票結果を本体装置５の正記録装置(図示省略)に電子的に記録格納し（Ｓ２−２７）、投票操作画面表示部４に投票終了を表示する（Ｓ２−２８）。
【００４３】
一方、副記録装置１のＣＰＵ２５は、電子投票端末機２から確定信号（投票確定情報）を受信すると（Ｓ２−２９）、印刷記録した印刷媒体１１を用紙切断部２３に搬送し、用紙切断部２３を駆動制御して１投票分の印刷媒体１１を連続用紙から切り離す（Ｓ２−３０）。この切り離した印刷媒体１１は用紙搬送部１７によって副記録保管容器１４に搬送し、取込ローラ１８によって副記録保管容器１４に投入する（Ｓ２−３１）。このとき、廃棄落し部２０は廃棄落し部材２０ａを所定位置に保持して印刷媒体１１の通過を許容する。
【００４４】
次に、ＣＰＵ２５は攪拌装置１４ｂを駆動し、床部材１４ａを通して送風することで、副記録保管容器１４に貯留する印刷媒体１１を攪拌する（Ｓ２−３２）。この攪拌動作は、印刷媒体１１を投入する毎に行っても良く、時間的に作動間隔を設定して一定間隔毎に行っても良く、投票終了後に攪拌しても良い。また、攪拌装置１４ｂとしては、空気吹き込みに限らず、攪拌部材等で機械的に攪拌することも可能である。この攪拌によって副記録保管容器１４に保管された印刷媒体１１からは投票順番が推定出来なくなり、投票の秘匿性が確保される。
【００４５】
また、投票集計の再確認等において副記録保管容器１４に保管した印刷媒体１１を読み取り開票する場合には、投票時に読取り部２２で予め読取確認を行ったものを読み取って集計するので、読取不明票となる恐れがなく、開票時に公平性を確保し、かつ効率よく開票が行える。
【００４６】
次に、副記録装置１のＣＰＵ２５は、電子投票端末機２から取消信号を受信すると（Ｓ２−３３）、印刷記録した印刷媒体１１を用紙切断部２３に搬送し、用紙切断部２３を駆動制御して１投票分の印刷媒体１１を連続用紙から切り離す（Ｓ２−３４）。廃棄落し部２０は廃棄落し部材２０ａを駆動し、用紙搬送部１７によって搬送する印刷媒体１１を副記録廃棄容器１５に案内し（Ｓ２−３５）、裁断部１９が印刷媒体１１を裁断しながら副記録廃棄容器１５に投入する（Ｓ２−３６）。
【００４７】
本実施の形態では、投票情報が確定される前に投票情報を印刷記録し、投票の確定信号を受けた後に印刷媒体１１を副記録保管容器１４に投入する構成であるが、電子投票端末機２において選挙人が投票情報を確定した後に確定した投票情報を発信し、副記録装置１が確定した投票情報を受けて印刷媒体１１に投票情報を印刷記録する構成とすることも可能である。
【００４８】
この構成の動作を図４を参照して説明する。電子投票端末機２は投票操作画面表示部４に投票開始状態を表示し（Ｓ３−１）、選挙人が検認装置６に挿入する投票カードを確認し（Ｓ３−２）、投票操作画面表示部４に選挙候補者の一覧を表示する（Ｓ３−３）。
【００４９】
選挙人は電子投票端末機２の投票操作画面表示部４に表示された複数の候補者名の中から投票する候補者名を選択する。この選択は本体装置５に設けたボタンやキーやタッチパネル等の選択手段を操作して行う。電子投票端末機２は候補者が選択されたことを確認し（Ｓ３−４）、選択した候補者名（投票情報）のみを表示して確認入力を指示する（Ｓ３−５）。
【００５０】
電子投票端末機２は投票情報が確定されたか否かを判断し（Ｓ３−６）、この段階で選挙人が投票情報の変更等を目的として先に選択した投票情報を取り消すと（Ｓ３−７）、電子投票端末機２は選挙候補者の一覧を表示（Ｓ３−３）に戻って上述した動作を繰り返す。
【００５１】
選挙人が投票情報を確定すると、電子投票端末機２は投票の確定信号（投票確定情報）をインターフェイス２９を介して副記録装置１のＣＰＵ２５に送信する（Ｓ３−８）。
ＣＰＵ２５は確定信号（投票確定情報）とともに投票情報（候補者情報）を受信すると（Ｓ３−９）、用紙送出し部１３および用紙搬送部１７を駆動制御して用紙ロール１２から繰り出す印刷媒体１１を印刷記録部２１に供給する（Ｓ３−１０）。印刷記録部２１はＣＰＵ２５が電子投票端末機２から受け付けた投票情報を、光学的に読み取り可能な印刷形態（活字、バーコード等）で記録情報として印刷媒体１１に印刷記録する（Ｓ３−１１）。
【００５２】
次に、用紙送出し部１３および用紙搬送部１７を駆動制御し、印刷記録した印刷媒体１１を読取り部２２に搬送して印刷記録した記録情報を読取り部２２で読み取り（Ｓ３−１２）、読取り部２２で読み取った記録情報と投票情報を照合部２４で確認する（Ｓ３−１３）。
【００５３】
ＣＰＵ２５は、照合部２４による照合確認の照合結果を判断し（Ｓ３−１４）、記録情報と投票情報が一致しないときには、印刷記録した印刷媒体１１を副記録廃棄容器１５に投入する制御を以下の手順で行う。
【００５４】
印刷回数をカウントし（Ｓ３−１５）、印刷記録した印刷媒体１１を用紙切断部２３に搬送し、用紙切断部２３を駆動制御して１投票分の印刷媒体１１を連続用紙から切り離す（Ｓ３−１６）。廃棄落し部２０を駆動して廃棄落し部材２０ａを廃棄位置に配置し（Ｓ３−１７）、用紙搬送部１７によって搬送する印刷媒体１１を副記録廃棄容器１５に案内し、裁断部１９で印刷媒体１１を裁断しながら副記録廃棄容器１５に投入し（Ｓ３−１８）、印刷媒体１１を印刷記録部２１に供給するステップ（Ｓ３−１０）に戻る。
【００５５】
そして、所定回数の印刷を行っても記録情報と投票情報が一致しないときに、ＣＰＵ２５はインターフェイス２９を介して電子投票端末機２に異常表示の信号を送信し（Ｓ３−１９）、副記録装置１を停止するとともに、副記録装置異常報知部３に異常の信号を送信して副記録装置１の異常を通報する（Ｓ３−２０）。
【００５６】
ＣＰＵ２５は、照合部２４による照合確認の照合結果において記録情報と投票情報が一致する場合には、照合部２４による照合確認の照合結果をインターフェイス２９を介して電子投票端末機２に送信する（Ｓ３−２１）。
【００５７】
そして、印刷記録した印刷媒体１１を用紙切断部２３に搬送し、用紙切断部２３を駆動制御して１投票分の印刷媒体１１を連続用紙から切り離す（Ｓ３−２２）。この切り離した印刷媒体１１は用紙搬送部１７によって副記録保管容器１４に搬送し、取込ローラ１８によって副記録保管容器１４に投入する（Ｓ３−２３）。このとき、廃棄落し部２０は廃棄落し部材２０ａを所定位置に保持して印刷媒体１１の通過を許容する。
【００５８】
次に、ＣＰＵ２５は攪拌装置１４ｂを駆動し、床部材１４ａを通して送風することで、副記録保管容器１４に貯留する印刷媒体１１を攪拌する（Ｓ３−２４）。この攪拌動作は、印刷媒体１１を投入する毎に行っても良く、時間的に作動間隔を設定して一定間隔毎に行っても良く、投票終了後に攪拌しても良い。
【００５９】
一方、電子投票端末機２は副記録装置１から照合結果を受信し（Ｓ３−２５）、照合結果が正常か否かを判断し（Ｓ３−２６）、異常である場合には投票操作画面表示部４に異常表示して係員を呼び出す（Ｓ３−２７）。正常である場合に、電子投票端末機２は投票結果を本体装置５の正記録装置(図示省略)に電子的に記録格納し（Ｓ３−２８）、投票操作画面表示部４に投票終了を表示する（Ｓ３−２９）。
【００６０】
次に、印刷媒体１１が単葉紙からなる場合の副記録装置１の構成を説明する。図７および図１０において、先の実施の形態において説明したものと同様の作用を行う構成部材には同符号を付して説明を省略する。この構成において、副記録装置１は単葉紙の印刷媒体１１を積載した印刷媒体積載部４１を備えており、印刷媒体積載部４１は給紙ローラ部４２、捌き部材４３および重送検知部４４を有している。
【００６１】
この構成における動作を図３を参照して説明する。電子投票端末機２は投票操作画面表示部４に投票開始状態を表示し（Ｓ４−１）、選挙人が検認装置６に挿入する投票カードを確認し（Ｓ４−２）、投票操作画面表示部４に選挙候補者の一覧を表示する（Ｓ４−３）。
【００６２】
選挙人は電子投票端末機２の投票操作画面表示部４に表示された複数の候補者名の中から投票する候補者名を選択する。この選択は本体装置５に設けたボタンやキーやタッチパネル等の選択手段を操作して行う。
【００６３】
電子投票端末機２は候補者が選択されたことを確認し（Ｓ４−４）、選択された候補者情報を投票情報３０としてインターフェイス２９を介して副記録装置１のＣＰＵ２５に送信する（Ｓ４−５）。
【００６４】
副記録装置１はインターフェイス２９を介して電子投票端末機２から投票情報（候補者情報）をＣＰＵ２５に受信すると（Ｓ４−６）、ＣＰＵ２５は印刷媒体積載部４１の給紙ローラ部４２を駆動制御し、捌き部材４３を通して単葉紙を１葉づつ給紙する（Ｓ４−７）。その際に、重送検知部４４において印刷媒体１１が重なって給紙されていないことを確認する（Ｓ４−８）。
【００６５】
重送である場合には、用紙搬送部１７によって印刷媒体１１を搬送し（Ｓ４−９）、廃棄落し部２０を駆動して廃棄落し部材２０ａを廃棄位置に配置し（Ｓ４−１０）、用紙搬送部１７によって搬送する印刷媒体１１を副記録廃棄容器１５に案内し、裁断部１９で印刷媒体１１を裁断しながら副記録廃棄容器１５に投入し（Ｓ４−１１）、単葉紙を給紙する（Ｓ４−７）ステップに戻る。
【００６６】
次に、重送でない場合には、用紙搬送部１７は１枚の印刷媒体１１を印刷記録部２１に供給し（Ｓ４−１２）、印刷記録部２１はＣＰＵ２５が電子投票端末機２から受け付けた投票情報を、光学的に読み取り可能な印刷形態で記録情報として印刷媒体１１に印刷記録する（Ｓ４−１３）。印刷記録後に、用紙搬送部１７は印刷記録した印刷媒体１１を読取り部２２に搬送し、読取り部２２が印刷媒体１１に印刷記録した記録情報を読み出し（Ｓ４−１４）、読取り部２２で読み取った記録情報と投票情報を照合部２４で確認する（Ｓ４−１５）。
【００６７】
ＣＰＵ２５は、照合部２４による照合確認の照合結果を判断し（Ｓ４−１６）、記録情報と投票情報が一致しないときには、印刷記録した印刷媒体１１を副記録廃棄容器１５に投入する制御を以下の手順で行う。
【００６８】
印刷回数をカウントし（Ｓ４−１７）、印刷記録した印刷媒体１１を用紙搬送部１７によって搬送し（Ｓ４−９）、廃棄落し部２０を駆動して廃棄落し部材２０ａを廃棄位置に配置し（Ｓ４−１０）、用紙搬送部１７によって搬送する印刷媒体１１を副記録廃棄容器１５に案内し、裁断部１９で印刷媒体１１を裁断しながら副記録廃棄容器１５に投入し（Ｓ４−１１）、単葉紙を給紙する（Ｓ４−７）ステップに戻る。
【００６９】
そして、所定回数繰り返しても記録情報と投票情報が一致しないときに、ＣＰＵ２５はインターフェイス２９を介して電子投票端末機２に異常表示の信号を送信し（Ｓ４−１８）、副記録装置１を停止するとともに、副記録装置異常報知部３に異常の信号を送信して副記録装置１の異常を通報する（Ｓ４−１９）。
【００７０】
ＣＰＵ２５は、照合部２４による照合確認の照合結果において記録情報と投票情報が一致する場合には、照合部２４による照合確認の照合結果をインターフェイス２９を介して電子投票端末機２に送信する（Ｓ４−２０）。
【００７１】
電子投票端末機２は副記録装置１から照合結果を受信し（Ｓ４−２１）、照合結果が正常か否かを判断し（Ｓ４−２２）、異常である場合には投票操作画面表示部４に異常表示して係員を呼び出す（Ｓ４−２３）。正常である場合には投票操作画面表示部４に照合結果が正常である旨の表示を行うとともに、選択した候補者名（投票情報）のみを表示して確認入力を指示する（Ｓ４−２４）。
【００７２】
選挙人は照合結果の表示を受けて、選択した候補者名（投票情報）を最終確認する。ＣＰＵ２５は投票情報が確定されたか否かを判断し（Ｓ４−２５）、この段階で選挙人が投票情報の変更等を目的として先に選択した投票情報を取り消すと（Ｓ４−２６）、電子投票端末機２は投票の取消信号（取消情報）を副記録装置１に送信し（Ｓ４−２７）、選挙候補者の一覧を表示し（Ｓ４−３）、上述した動作を繰り返す。
【００７３】
選挙人が投票情報を確定すると、電子投票端末機２は投票の確定信号（投票確定情報）を副記録装置１に送信し（Ｓ４−２８）、投票結果を本体装置５の正記録装置(図示省略)に電子的に記録格納し（Ｓ４−２９）、投票操作画面表示部４に投票終了を表示する（Ｓ４−３０）。
【００７４】
一方、副記録装置１のＣＰＵ２５は、電子投票端末機２から確定信号（投票確定情報）を受信すると（Ｓ４−３１）、印刷記録した印刷媒体１１を用紙搬送部１７によって副記録保管容器１４に搬送し（Ｓ４−３２）、取込ローラ１８によって副記録保管容器１４に投入する（Ｓ４−３３）。このとき、廃棄落し部２０は廃棄落し部材２０ａを所定位置に保持して印刷媒体１１の通過を許容する。
【００７５】
次に、ＣＰＵ２５は攪拌装置１４ｂを駆動し、床部材１４ａを通して送風することで、副記録保管容器１４に貯留する印刷媒体１１を攪拌する（Ｓ４−３４）。
副記録装置１のＣＰＵ２５は電子投票端末機２から取消信号を受信すると（Ｓ４−３５）、印刷記録した印刷媒体１１を用紙搬送部１７によって搬送し（Ｓ４−３６）、廃棄落し部２０を駆動して廃棄落し部材２０ａを廃棄位置に配置し（Ｓ４−３７）、用紙搬送部１７によって搬送する印刷媒体１１を副記録廃棄容器１５に案内し、裁断部１９で印刷媒体１１を裁断しながら副記録廃棄容器１５に投入する（Ｓ４−３８）。
【００７６】
本実施の形態では、投票情報が確定される前に投票情報を印刷記録し、投票の確定信号を受けた後に印刷媒体１１を副記録保管容器１４に投入する構成であるが、電子投票端末機２において選挙人が投票情報を確定した後に確定した投票情報を発信し、副記録装置１が確定した投票情報を受けて印刷媒体１１に投票情報を印刷記録する構成とすることも可能である。
【００７７】
この構成の動作を図５を参照して説明する。電子投票端末機２は投票操作画面表示部４に投票開始状態を表示し（Ｓ５−１）、選挙人が検認装置６に挿入する投票カードを確認し（Ｓ５−２）、投票操作画面表示部４に選挙候補者の一覧を表示する（Ｓ５−３）。
【００７８】
選挙人は電子投票端末機２の投票操作画面表示部４に表示された複数の候補者名の中から投票する候補者名を選択する。この選択は本体装置５に設けたボタンやキーやタッチパネル等の選択手段を操作して行う。電子投票端末機２は候補者が選択されたことを確認し（Ｓ５−４）、選択した候補者名（投票情報）のみを表示して確認入力を指示する（Ｓ５−５）。
【００７９】
電子投票端末機２は投票情報が確定されたか否かを判断し（Ｓ５−６）、この段階で選挙人が投票情報の変更等を目的として先に選択した投票情報を取り消すと（Ｓ５−７）、電子投票端末機２は選挙候補者の一覧を表示するステップ（Ｓ５−３）に戻って上述した動作を繰り返す。
【００８０】
選挙人が投票情報を確定すると、電子投票端末機２は投票の確定信号（投票確定情報）をインターフェイス２９を介して副記録装置１のＣＰＵ２５に送信する（Ｓ５−８）。
副記録装置１はインターフェイス２９を介して電子投票端末機２から投票情報（候補者情報）をＣＰＵ２５に受信すると（Ｓ５−９）、ＣＰＵ２５は印刷媒体積載部４１の給紙ローラ部４２を駆動制御し、捌き部材４３を通して単葉紙を１葉づつ給紙する（Ｓ５−１０）。その際に、重送検知部４４において印刷媒体１１が重なって給紙されていないことを確認する（Ｓ５−１１）。
【００８１】
重送である場合には、用紙搬送部１７によって印刷媒体１１を搬送し（Ｓ５−１２）、廃棄落し部２０を駆動して廃棄落し部材２０ａを廃棄位置に配置し（Ｓ５−１３）、用紙搬送部１７によって搬送する印刷媒体１１を副記録廃棄容器１５に案内し、裁断部１９で印刷媒体１１を裁断しながら副記録廃棄容器１５に投入し（Ｓ５−１４）、単葉紙を給紙するステップ（Ｓ５−１０）に戻る。
【００８２】
次に、重送でない場合には、用紙搬送部１７は１枚の印刷媒体１１を印刷記録部２１に供給し（Ｓ５−１５）、印刷記録部２１はＣＰＵ２５が電子投票端末機２から受け付けた投票情報を、光学的に読み取り可能な印刷形態で記録情報として印刷媒体１１に印刷記録する（Ｓ５−１６）。印刷記録後に、用紙搬送部１７は印刷記録した印刷媒体１１を読取り部２２に搬送し、読取り部２２が印刷媒体１１に印刷記録した記録情報を読み取り（Ｓ５−１７）、読取り部２２で読み取った記録情報と投票情報を照合部２４で確認する（Ｓ５−１８）。
【００８３】
ＣＰＵ２５は、照合部２４による照合確認の照合結果を判断し（Ｓ５−１９）、記録情報と投票情報が一致しないときには、印刷記録した印刷媒体１１を副記録廃棄容器１５に投入する制御を以下の手順で行う。
【００８４】
印刷回数をカウントし（Ｓ５−２０）、用紙搬送部１７によって印刷媒体１１を搬送し（Ｓ５−１２）、廃棄落し部２０を駆動して廃棄落し部材２０ａを廃棄位置に配置し（Ｓ５−１３）、用紙搬送部１７によって搬送する印刷媒体１１を副記録廃棄容器１５に案内し、裁断部１９で印刷媒体１１を裁断しながら副記録廃棄容器１５に投入し（Ｓ５−１４）、単葉紙を給紙するステップ（Ｓ５−１０）に戻る。
【００８５】
そして、所定回数の印刷を繰り返しても記録情報と投票情報が一致しないときに、ＣＰＵ２５はインターフェイス２９を介して電子投票端末機２に異常表示の信号を送信し（Ｓ５−２１）、副記録装置１を停止するとともに、副記録装置異常報知部３に異常の信号を送信して副記録装置１の異常を通報する（Ｓ５−２２）。
【００８６】
ＣＰＵ２５は、照合部２４による照合確認の照合結果において記録情報と投票情報が一致する場合には、照合部２４による照合確認の照合結果をインターフェイス２９を介して電子投票端末機２に送信する（Ｓ５−２３）。
【００８７】
そして、印刷記録した印刷媒体１１を用紙搬送部１７によって副記録保管容器１４に搬送し（Ｓ５−２４）、取込ローラ１８によって副記録保管容器１４に投入する（Ｓ５−２５）。このとき、廃棄落し部２０は廃棄落し部材２０ａを所定位置に保持して印刷媒体１１の通過を許容する。
【００８８】
次に、ＣＰＵ２５は攪拌装置１４ｂを駆動し、床部材１４ａを通して送風することで、副記録保管容器１４に貯留する印刷媒体１１を攪拌する（Ｓ５−２６）。この攪拌動作は、印刷媒体１１を投入する毎に行っても良く、時間的に作動間隔を設定して一定間隔毎に行っても良く、投票終了後に攪拌しても良い。
【００８９】
一方、電子投票端末機２は副記録装置１から照合結果を受信し（Ｓ５−２７）、照合結果が正常か否かを判断し（Ｓ５−２８）、異常である場合には投票操作画面表示部４に異常表示して係員を呼び出す（Ｓ５−２９）。正常である場合に、電子投票端末機２は投票結果を本体装置５の正記録装置(図示省略)に電子的に記録格納し（Ｓ５−３０）、投票操作画面表示部４に投票終了を表示する（Ｓ５−３１）。
【００９０】
次に、先の実施の形態では副記録装置１と電子投票端末機２が別体の構成を説明したが、副記録装置１は電子投票端末機２と一体の構造とすることも可能であり、この構成を図８および図１２に示す。図８および図１２において、先の実施の形態において説明したものと同様の作用を行う構成部材には同符号を付して説明を省略する。
【００９１】
この構成において、ＣＰＵ５１に接続した投票操作タッチパネル５２は候補者の選択および確定を操作するものであり、投票データ記録部５３は投票情報を記録するものである。また、副記録装置機構駆動部５４は、攪拌装置１４ｂ、用紙搬送部１７、裁断部１９、廃棄落し部２０、印刷記録部２１、読取り部２２、照合部２４等の主要駆動部以外の各種の駆動部を示すものである。
【００９２】
上記した構成により、投票時に選挙人は電子投票端末機２の投票操作画面表示部４に表示された複数の候補者名の中から投票する候補者名を投票操作タッチパネル５２を操作して選択する。電子投票端末機２のＣＰＵ５１は、先の実施の形態と同様の手順を経て投票データ記録部５３に投票情報を記録し、副記録として印刷記録した印刷媒体１１を保管する制御を行う。
【図面の簡単な説明】
【００９３】
【図１】本発明の実施の形態における副記録装置の使用手順を示すフローチャート図
【図２】本発明の実施の形態における連続紙による副記録装置の動作手順を示すフローチャート図
【図３】本発明の実施の形態における連続紙による副記録装置の動作手順を示すフローチャート図
【図４】本発明の実施の形態における単葉紙による副記録装置の動作手順を示すフローチャート図
【図５】本発明の実施の形態における単葉紙による副記録装置の動作手順を示すフローチャート図
【図６】本発明の実施の形態における連続紙の副記録装置の構成を示すブロック図
【図７】本発明の実施の形態における単葉紙の副記録装置の構成を示すブロック図
【図８】本発明の実施の形態における副記録装置を一体に有する電子投票端末機の構成を示すブロック図
【図９】本発明の実施の形態における連続紙の副記録装置の構成を示す模式図
【図１０】本発明の実施の形態における単葉紙の副記録装置の構成を示す模式図
【図１１】本発明の実施の形態における副記録装置と電子投票端末機の構成を示す模式図
【図１２】本発明の実施の形態における副記録装置を一体に有する電子投票端末機の構成を示す模式図
【符号の説明】
【００９４】
１    副記録装置
２    電子投票端末機
３    副記録装置異常報知部
４    投票操作画面表示部
５    本体装置
６    検認装置
１１    印刷媒体
１２    用紙ロール
１３    用紙送出し部
１４    副記録保管容器
１４ａ  床部材
１４ｂ  攪拌装置
１５    副記録廃棄容器
１６    搬送ローラ
１７    用紙搬送部
１８    取込ローラ
１９    裁断部
２０    廃棄落し部
２０ａ  廃棄落し部材
２１    印刷記録部
２２    読取り部
２３    用紙切断部
２４    照合部
２５    ＣＰＵ
２６    操作入力部
２７    ＲＯＭ
２８    ＲＡＭ
２９    インターフェイス（入出力回路）
３０    投票情報
３１    照合結果
４１    印刷媒体積載部
４２    給紙ローラ部
４３    捌き部材
４４    重送検知部
５１    ＣＰＵ
５２    投票操作タッチパネル
５３    投票データ記録部
５４    副記録装置機構駆動部
【図１】
2006053618.tif 000003
【図２】
2006053618.tif 000004
【図３】
2006053618.tif 000005
【図４】
2006053618.tif 000006
【図５】
2006053618.tif 000007
【図６】
2006053618.tif 000008
【図７】
2006053618.tif 000009
【図８】
2006053618.tif 000010
【図９】
2006053618.tif 000011
【図１０】
2006053618.tif 000012
【図１１】
2006053618.tif 000013
【図１２】
2006053618.tif 000014